(57)【要約】【課題】給紙ローラと分離部材との間に詰まった用紙を容易に取り出すことが可能な画像形成装置を提供する。【解決手段】開閉カバー６１、補助ガイド６３、及び用紙搬送ガイド６５が３重に配されて３段階で順次開かれ、用紙搬送ガイド６５が開かれて退避位置に移動されると、分離ローラ３５が給紙ローラ３１から離間すると同時に用紙搬送方向Ｂの下流側の向きにも移動される。【選択図】図６
2014058381.tif 000002
【特許請求の範囲】
【請求項１】
用紙が収容される給紙カセットと、前記給紙カセットの用紙に接触して、前記用紙を引出す給紙ローラと、前記給紙ローラに接触する分離部材と、前記給紙ローラと前記分離部材との間を通過した用紙を用紙搬送経路に沿って案内する用紙搬送ガイドとを備え、用紙搬送経路に沿って用紙を搬送して、この用紙に画像を形成する画像形成装置であって、
前記用紙搬送ガイドは、前記用紙を前記用紙搬送経路に沿って案内するときの案内位置と前記用紙搬送経路から退避した退避位置との間で移動可能に支持され、前記案内位置に移動されたときに前記分離部材を前記給紙ローラに接触させ、前記退避位置に移動されたときに前記分離部材を前記給紙ローラから離間させることを特徴とする画像形成装置。
【請求項２】
請求項１に記載の画像形成装置であって、
前記用紙搬送ガイドは、該用紙搬送ガイドの第１支軸を中心にして回転されることにより前記案内位置及び前記退避位置のいずれかに移動されることを特徴とする画像形成装置。
【請求項３】
請求項１又は２に記載の画像形成装置であって、
前記用紙搬送ガイドは、前記退避位置に移動されたときに前記分離部材を前記用紙の搬送方向下流側の向きにも移動させることを特徴とする画像形成装置。
【請求項４】
請求項１から３のいずれか１つに記載の画像形成装置であって、
前記分離部材は、前記用紙搬送ガイドで支持されたことを特徴とする画像形成装置。
【請求項５】
請求項１から４のいずれか１つに記載の画像形成装置であって、
前記用紙搬送ガイドの第２支軸を中心にして回転可能に支持されて、前記分離部材を支持するホルダーと、前記分離部材が前記給紙ローラに接触する方向に前記ホルダーを付勢する付勢部とを備え、
前記用紙搬送ガイドが前記案内位置に移動されたときに、前記付勢部により付勢された前記ホルダーの前記分離部材が前記給紙ローラに接触することを特徴とする画像形成装置。
【請求項６】
請求項５に記載の画像形成装置であって、
前記第２支軸は、前記給紙ローラと前記分離部材とが接触したニップ域よりも前記用紙の搬送方向下流側に設けられたことを特徴とする画像形成装置。
【請求項７】
請求項１から６のいずれか１つに記載の画像形成装置であって、
前記用紙の搬送方向下流側において、前記給紙ローラに引き続く次の順番で前記用紙を搬送するローラは、前記用紙を一旦停止させてから搬送するレジストローラであることを特徴とする画像形成装置。
【請求項８】
請求項１から７のいずれか１つに記載の画像形成装置であって、
前記用紙搬送経路から離間する方向に、前記用紙搬送ガイドと、前記用紙搬送ガイドに対して接離する方向に移動可能に支持された補助ガイドと、開閉可能に支持された開閉扉とを順次設けたことを特徴とする画像形成装置。
【発明の詳細な説明】
【技術分野】
【０００１】
本発明は、用紙を給紙カセットから引出して搬送し、この用紙に画像を印刷する画像形成装置に関する。
【背景技術】
【０００２】
この種の画像形成装置では、給紙ローラを給紙カセットの用紙に押し付けて回転させることにより用紙を給紙カセットから引出して用紙搬送経路へと搬送し、更に搬送ローラやレジストローラ等により用紙を搬送して、この用紙に画像を印刷している。
【０００３】
また、分離部材（分離ローラ又は分離パッド）を給紙ローラに接触させて、用紙を給紙ローラと分離部材との間に通しており、複数の用紙が重なった状態で引出されたときには、給紙ローラにより１枚の用紙を搬送しかつ分離部材により他の用紙を止めて、用紙の重送を防止している。
【０００４】
更に、用紙ジャムが発生したときには、画像形成装置の本体筐体の扉等を開けて、用紙搬送経路を開放し、用紙を取り出すことができるようにしている。例えば、特許文献１では、本体筐体のカバーが開かれると、カバー内側の用紙搬送経路が開放されて、用紙搬送経路に配置された複数組のローラが離間し、各組のローラ間に詰まった用紙を取り出すことができるようにしている。同様に、特許文献２、３でも、本体筐体に対して開閉可能に設けられた両面ユニットが開かれると、両面ユニット内側の用紙搬送経路が開放されて、用紙搬送経路に配置された複数組のローラが離間し、各組のローラ間に詰まった用紙を除去することができるようにしている。
【先行技術文献】
【特許文献】
【０００５】
【特許文献１】特開平１１−３４３０４６号公報
【特許文献２】特開２００７−７０１１７号公報
【特許文献３】特開２００６−２５９４４９号公報
【発明の概要】
【発明が解決しようとする課題】
【０００６】
しかしながら、特許文献１〜３のいずれにおいても、カバーや両面ユニットが開かれても、給紙ローラと分離部材（分離ローラ又は分離パッド）との間が開かれることはなく、給紙ローラと分離部材との間に用紙が詰まったときには、用紙の除去が困難であり、更に用紙が破れると、用紙の除去がより一層困難になった。
【０００７】
また、給紙カセットが画像形成装置の本体筐体の下部に設けられている場合は、給紙ローラ及び分離部材も本体筐体の下部に配置されるため、画像形成装置の本体筐体の扉等を開いても、給紙ローラと分離部材との間に詰まった用紙を視認することが困難であり、用紙の除去が極めて困難であった。
【０００８】
そこで、本発明は、上記従来の問題点に鑑みなされたものであり、給紙ローラと分離部材との間に詰まった用紙を容易に取り出すことが可能な画像形成装置を提供することを目的とする。
【課題を解決するための手段】
【０００９】
上記課題を解決するために、本発明の画像形成装置は、用紙が収容される給紙カセットと、前記給紙カセットの用紙に接触して、前記用紙を引出す給紙ローラと、前記給紙ローラに接触する分離部材と、前記給紙ローラと前記分離部材との間を通過した用紙を用紙搬送経路に沿って案内する用紙搬送ガイドとを備え、用紙搬送経路に沿って用紙を搬送して、この用紙に画像を形成する画像形成装置であって、前記用紙搬送ガイドは、前記用紙を前記用紙搬送経路に沿って案内するときの案内位置と前記用紙搬送経路から退避した退避位置との間で移動可能に支持され、前記案内位置に移動されたときに前記分離部材を前記給紙ローラに接触させ、前記退避位置に移動されたときに前記分離部材を前記給紙ローラから離間させている。
【００１０】
このような本発明では、案内位置及び退避位置のいずれかに用紙搬送ガイドが移動されると、これに伴って分離部材が給紙ローラに対して接触したり離間したりする。分離部材が給紙ローラに接触した状態では、給紙ローラにより給紙カセットの用紙が引出されて、分離部材により用紙の重送が防止される。また、分離部材が給紙ローラから離間した状態では、分離部材と給紙ローラとの間に詰まった用紙を引き抜いて、用紙ジャムを解消することができる。
【００１１】
また、用紙搬送ガイドは、給紙カセットの用紙引出し位置から用紙搬送経路の入口までの範囲に設けられるため、用紙搬送ガイドに連動して分離部材を移動させるように構成することが可能であり、用紙搬送ガイドを退避させた状態では、用紙を容易に視認することができ、また分離部材が給紙ローラから離間するので、用紙ジャムの解消が容易になる。
【００１２】
例えば、本発明の画像形成装置においては、前記用紙搬送ガイドは、該用紙搬送ガイドの第１支軸を中心にして回転されることにより前記案内位置及び前記退避位置のいずれかに移動される。
【００１３】
また、本発明の画像形成装置においては、前記用紙搬送ガイドは、前記退避位置に移動されたときに前記分離部材を前記用紙の搬送方向下流側の向きにも移動させる。
【００１４】
更に、本発明の画像形成装置においては、前記分離部材は、前記用紙搬送ガイドで支持されている。
【００１５】
この場合は、分離部材が用紙搬送ガイドと共に移動する。
【００１６】
また、本発明の画像形成装置においては、前記用紙搬送ガイドの第２支軸を中心にして回転可能に支持されて、前記分離部材を支持するホルダーと、前記分離部材が前記給紙ローラに接触する方向に前記ホルダーを付勢する付勢部とを備え、前記用紙搬送ガイドが前記案内位置に移動されたときに、前記付勢部により付勢された前記ホルダーの前記分離部材が前記給紙ローラに接触する。
【００１７】
このようにホルダーと付勢部を設けることにより、分離部材を適宜に圧力で給紙ローラに接触させることができる。
【００１８】
更に、本発明の画像形成装置においては、前記第２支軸は、前記給紙ローラと前記分離部材とが接触したニップ域よりも前記用紙の搬送方向下流側に設けられている。
【００１９】
この場合は、ニップ域を通過する用紙に接する分離部材が該用紙からの力を受け、この力が第２支軸周りで分離部材を給紙ローラに接近させる方向のモーメントとなるので、分離部材が用紙から離間し難くなり、分離部材により用紙の重送が良好に防止される。
【００２０】
また、本発明の画像形成装置においては、前記用紙の搬送方向下流側において、前記給紙ローラに引き続く次の順番で前記用紙を搬送するローラは、前記用紙を一旦停止させてから搬送するレジストローラである。
【００２１】
画像形成装置を小型化した場合は、給紙ローラとレジストローラとの間の距離が短くなり、これらのローラの間に他の搬送ローラ等を設ける必要がないものの、給紙ローラと分離部材との間で用紙ジャムが発生する確率が増大するので、本発明が特に有効である。
【００２２】
更に、本発明の画像形成装置においては、前記用紙搬送経路から離間する方向に、前記用紙搬送ガイドと、前記用紙搬送ガイドに対して接離する方向に移動可能に支持された補助ガイドと、開閉可能に支持された開閉扉とを順次設けている。
【００２３】
例えば、補助ガイドは、他の用紙搬送経路を形成するものであり、開閉扉は、給紙ローラと分離部材との間で発生した用紙ジャムを解消するために開閉される。このような補助ガイド及び開閉扉を備えた構成では、給紙ローラ及び分離部材が画像形成装置の奥深くに配置されるため、分離部材と給紙ローラとの間に挟まれた用紙を容易に視認して引き抜くことが可能な本発明が特に有効である。
【発明の効果】
【００２４】
本発明では、案内位置及び退避位置のいずれかに用紙搬送ガイドが移動されると、これに伴って分離部材が給紙ローラに対して接触したり離間したりする。分離部材が給紙ローラに接触した状態では、給紙ローラにより給紙カセットの用紙が引出されて、分離部材により用紙の重送が防止される。また、分離部材が給紙ローラから離間した状態では、分離部材と給紙ローラとの間に詰まった用紙を引き抜いて、用紙ジャムを解消することができる。
【００２５】
また、用紙搬送ガイドは、給紙カセットの用紙引出し位置から用紙搬送経路の入口までの範囲に設けられるため、用紙搬送ガイドに連動して分離部材を移動させるように構成することが可能であり、用紙搬送ガイドを退避させた状態では、用紙を容易に視認することができ、また分離部材が給紙ローラから離間するので、用紙ジャムの解消が容易になる。
【図面の簡単な説明】
【００２６】
【図１】本発明の画像形成装置の一実施形態を側方から見て示す断面図である。
【図２】図１の画像読取り装置及び原稿搬送装置を正面から見て示す断面図である。
【図３】画像読取り装置を側方から見て示す断面図である。
【図４】（ａ）は本体の開閉カバーを開いた状態を示す断面図であり、（ｂ）は開閉カバー及び補助ガイドを開いた状態を示す断面図であり、（ｃ）は開閉カバー、補助ガイド、及び用紙搬送ガイドを開いた状態を示す断面図である。
【図５】分離ローラが給紙ローラに圧接した状態を拡大して示す断面図である。
【図６】分離ローラが給紙ローラから離間した状態を拡大して示す断面図である。
【図７】（ａ）は分離ローラが給紙ローラに圧接した状態を斜め上後方から見て示す背面図であり、（ｂ）は分離ローラが給紙ローラから離間した状態を斜め上後方から見て示す背面図である。
【発明を実施するための形態】
【００２７】
以下、本発明の実施形態を添付図面を参照して詳細に説明する。
【００２８】
図１は、本発明の画像形成装置の一実施形態を側方から見て示す断面図である。この画像形成装置１は、原稿を読取って記録用紙に印刷する複写機能を有しており、画像読取り装置２、原稿搬送装置（ＡＤＦ）３、印刷部４、及び給紙カセット５等を備えている。印刷部４及び給紙カセット５は、画像形成装置１の本体６に内蔵され、画像読取り装置２及び原稿搬送装置３は、本体６の上側に搭載されている。
【００２９】
この画像形成装置１において扱われる画像データは、ブラック（Ｋ）、シアン（Ｃ）、マゼンタ（Ｍ）、イエロー（Ｙ）の各色を用いたカラー画像に応じたもの、又は単色（例えばブラック）を用いたモノクロ画像に応じたものである。このため、印刷部４においては、ＬＥＤヘッド１１、現像装置１２、感光体ドラム１３、ドラムクリーニング装置１４、及び帯電装置１５等が各色に応じた４種類のトナー像を形成するためにそれぞれ４個ずつ設けられ、それぞれがブラック、シアン、マゼンタ、及びイエローに対応付けられて、４つの画像ステーションＰａ、Ｐｂ、Ｐｃ、Ｐｄが構成されている。
【００３０】
各画像ステーションＰａ、Ｐｂ、Ｐｃ、Ｐｄのいずれにおいても、ドラムクリーニング装置１４により感光体ドラム１３表面の残留トナーを除去及び回収した後、帯電装置１５により感光体ドラム１３の表面を所定の電位に均一に帯電させ、ＬＥＤヘッド１１により感光体ドラム１３表面を露光して、その表面に静電潜像を形成し、現像装置１２により感光体ドラム１３表面の静電潜像を現像して、感光体ドラム１３表面にトナー像を形成する。これにより、各感光体ドラム１３表面に各色のトナー像が形成される。
【００３１】
引き続いて、中間転写ベルト２１を矢印方向Ｃに周回移動させつつ、ベルトクリーニング装置２２により中間転写ベルト２１の残留トナーを除去及び回収した後、各感光体ドラム１３表面に各色のトナー像を中間転写ベルト２１に順次転写して重ね合わせ、中間転写ベルト２１上にカラーのトナー像を形成する。
【００３２】
中間転写ベルト２１と２次転写装置２３の転写ローラ２３ａとの間にはニップ域が形成されており、Ｓ字状の用紙搬送経路Ｒ１を通じて搬送されて来た記録用紙をそのニップ域に挟み込んで搬送しつつ、中間転写ベルト２１表面のカラーのトナー像を記録用紙上に転写する。そして、定着装置１７の加熱ローラ２４と加圧ローラ２５間に記録用紙を挟み込んで加熱及び加圧し、記録用紙上のカラーのトナー像を定着させる。
【００３３】
一方、記録用紙は、給紙ローラ３１により給紙カセット５から引出されて、給紙ローラ３１と分離ローラ３５との間を通過し、更に用紙搬送経路Ｒ１を通じて１組のレジストローラ３４へと搬送される。各レジストローラ３４は、一時的に停止されていて、該各レジストローラ３４に突き当てられた記録用紙の先端を揃え、中間転写ベルト２１と転写ローラ２３ａ間のニップ域でのトナー像の転写タイミングに合わせて記録用紙の搬送を開始する。記録用紙は、２次転写装置２３や定着装置１７を経由して、カラーのトナー像を転写されて定着され、１組の排紙ローラ３２を介して排紙トレイ３３へと搬出される。
【００３４】
また、記録用紙の表面だけではなく、裏面の印字を行う場合は、記録用紙を各排紙ローラ３２から反転経路Ｒｒへと逆方向に搬送して、記録用紙の表裏を反転させ、記録用紙を各レジストローラ３４へと再度導き、記録用紙の表面と同様に、記録用紙の裏面に画像を記録して定着し、記録用紙を排紙トレイ３３へと搬出する。
【００３５】
次に、画像形成装置１の本体６の上側に搭載された画像読取り装置２及び原稿搬送装置３の概略構成を説明する。図２は、画像読取り装置２及び原稿搬送装置３を正面から見て概略的に示す断面図である。図３は、画像読取り装置２を側方から見て示す断面図である。
【００３６】
図２において、原稿搬送装置３は、その奥一辺のヒンジ（支点、図示せず）により画像読取り装置２に対して開閉自在に支持されており、その手前部分が上下されることにより開閉される。原稿搬送装置３が開かれると、画像読取り装置２の原稿読取りガラス４１及び原稿載置ガラス４２が開放される。
【００３７】
図２及び図３に示すように画像読取り装置２は、ＣＩＳ４３、及びＣＩＳ４３を副走査方向Ｙに移動させる移動機構４４を備えている。移動機構４４は、ＣＩＳ４３を副走査方向Ｙに案内するガイドレール４５、一対のプーリ４７間に懸架されて、ガイドレール４５に沿って配され、ＣＩＳ４３に接続された無端状ベルト４６、及びプーリ４７を回転駆動して、無端状ベルト４６を周回移動させ、ＣＩＳ４３を副走査方向Ｙに移動させるモータ４８等を備えている。この移動機構４４によりＣＩＳ４３を副走査方向Ｙに移動しつつ、ＣＩＳ４３により原稿載置ガラス４２上に載置された原稿を読取ったり（第１モード）、移動機構４４によりＣＩＳ４３を位置決めして、原稿搬送装置３により原稿を搬送し、ＣＩＳ４３により原稿読取りガラス４１上で搬送される原稿を読取ったりする（第２モード）。
【００３８】
詳しくは、第１モードでは、原稿搬送装置３を開いて、原稿を原稿載置ガラス４２上に載置して位置決めし、原稿搬送装置３を閉じる。ＣＩＳ４３は、原稿載置ガラス４２の下方へと移動され、更に原稿先端から原稿サイズに応じた距離だけ一定速度で副走査方向Ｙに移動され、原稿を原稿載置ガラス４２を介して繰り返し主走査方向Ｘに走査し、その度に、１主走査ラインのアナログ画像信号を出力し、原稿を読取って行く。
【００３９】
第２モードでは、原稿を原稿搬送装置３の原稿トレイ５１上に載せてセットする。ＣＩＳ４３は、原稿読取りガラス４１の下方の読取り位置に移動されて位置決めされる。この状態で、ピックアップローラ５２により原稿トレイ５１上の原稿が引出されて、原稿が原稿搬送経路５３を通じて原稿読取りガラス４１へと搬送され、原稿が原稿読取りガラス４１上を通過し、更に原稿が１組の排紙ローラ５４から排紙トレイ５５へと排出される。ＣＩＳ４３は、原稿読取りガラス４１上を通過して行く原稿を繰り返し主走査方向Ｘに走査して、この走査の度に、１主走査ラインのアナログ画像信号を出力し、原稿を読取って行く。
【００４０】
このように第１及び第２モードのいずれにおいても、ＣＩＳ４３により原稿が読取られ、ＣＩＳ４３からアナログ画像信号が出力される。このアナログ画像信号がデジタル画像信号にＡ／Ｄ変換され、デジタル画像信号に対して種々の画像処理が施され、デジタル信号が画像形成装置１の印刷部４の各ＬＥＤヘッド１１へと伝送され、印刷部４により原稿が記録用紙に記録され、この記録用紙が複写原稿として出力される。
【００４１】
ところで、本実施形態の画像形成装置１は、この画像形成装置１を小型化するべく、その高さを低く抑えられており、このために給紙ローラ３１に引き続く次の順番で記録用紙を搬送するローラは、記録用紙を一旦停止させてから搬送する各レジストローラ３４となっている。換言すれば、給紙ローラ３１と各レジストローラ３４との間には、記録用紙を搬送する他のローラが存在しない。
【００４２】
このため、各レジストローラ３４よりも記録用紙の搬送方向上流側で用紙ジャムが発生した場合は、記録用紙が給紙ローラ３１と分離ローラ３５との間に挟まった状態となり易い。
【００４３】
また、給紙ローラ３１は、画像形成装置１の本体６の下側に設けられた給紙カセット５から記録用紙を引出すために、本体６の下部に配置されている。更に、用紙搬送経路Ｒ１の外側に、補助経路Ｒ２を設けている。他の給紙カセット（図示せず）を給紙カセット５の下側に追加して設けることができ、この場合は、他の給紙カセットから引出された記録用紙が補助経路Ｒ２を通じて用紙搬送経路Ｒ１へと搬送され各レジストローラ３４へと導かれる。
【００４４】
従って、給紙ローラ３１及び分離ローラ３５は、画像形成装置１の本体６の下部であって、用紙搬送経路Ｒ１及び補助経路Ｒ２よりも本体６の奥に配置されることになる。このため、給紙ローラ３１と分離ローラ３５との間に挟まった記録用紙を視認したり除去したりするには、画像形成装置１の本体６の下部奥を開放する必要がある。
【００４５】
そこで、本実施形態の画像形成装置１では、図４（ａ）に示すように本体６の側壁となる開閉カバー６１の下端部を支軸６２により回転自在に支持して、開閉カバー６１を支軸６２周りで回転させて開くことができるようにし、図４（ｂ）に示すように補助経路Ｒ２を形成する補助ガイド６３を支軸６４により回転自在に支持して、補助ガイド６３を支軸６４周りで回転させて開くことができるようにし、更に図４（ｃ）に示すように用紙搬送経路Ｒ１を形成する用紙搬送ガイド６５を支軸６６により回転自在に支持して、用紙搬送ガイド６５を支軸６６周りで回転させて開くことができるようにし、これにより画像形成装置１の本体６の下部奥、つまり給紙ローラ３１の部位の開放が可能となるようにしている。また、図４（ｃ）に示すように用紙搬送ガイド６５が回転されて開かれたときには、分離ローラ３５が給紙ローラ３１から離間するように構成している。このため、給紙ローラ３１と分離ローラ３５との間に挟まった記録用紙を視認したり除去したりすることが容易である。
【００４６】
次に、開閉カバー６１、補助ガイド６３、及び用紙搬送ガイド６５等の構成を詳しく説明する。図１に示すように開閉カバー６１の外側ガイド７５と補助ガイド６３との間には、補助経路Ｒ２が形成されている。図４（ａ）に示すように開閉カバー６１が支軸６２周りで回転されて開かれると、各レジストローラ３４周辺が開放され、補助経路Ｒ２も開放されて、開閉カバー６１と補助ガイド６３との間のスペースが広く空く。また、転写ローラ２３ａが開閉カバー６１に取り付けられているため、開閉カバー６１が開かれると、転写ローラ２３ａが中間転写ベルト２１から離間する。この図４（ａ）の状態では、各レジストローラ３４の間に詰まった記録用紙や中間転写ベルト２１と転写ローラ２３ａの間に詰まった記録用紙を取り出すことができる。
【００４７】
また、図４（ａ）の状態では、開閉カバー６１と補助ガイド６３との間のスペースが広く空くため、図４（ｂ）に示すように補助ガイド６３を支軸６４周りで回転させて開くことが可能になる。更に、補助ガイド６３が開かれると、補助ガイド６３と用紙搬送ガイド６５との間のスペースが広く空くため、図４（ｃ）に示すように用紙搬送ガイド６５を支軸６６周りで回転させて開くことが可能になる。
【００４８】
そして、図４（ｃ）の状態では、用紙搬送経路Ｒ１が開放されて、分離ローラ３５が給紙ローラ３１から離間する。従って、画像形成装置１の本体６の下部奥が開放されることになり、給紙ローラ３１と分離ローラ３５との間に挟まった記録用紙を視認したり除去したりすることが可能になる。
【００４９】
すなわち、開閉カバー６１、補助ガイド６３、及び用紙搬送ガイド６５が３重に配されて３段階で順次開かれ、画像形成装置１の本体６の下部奥が開放されて、分離ローラ３５が給紙ローラ３１から離間するようにされている。
【００５０】
次に、用紙搬送ガイド６５、給紙ローラ３１、分離ローラ３５等の支持構造を説明する。図５は、その支持構造を拡大して側方から見て示す断面図であり、図１のように分離ローラ３５が給紙ローラ３１に圧接した状態を拡大して示している。
【００５１】
給紙ローラ３１の軸３１ａは、本体６における用紙搬送経路Ｒ１の下端部位で回転自在に支持されている。給紙カセット５は、その端部５ａが給紙ローラ３１の下方まで移動されて位置決めされている。また、給紙カセット５の内側では、図１に示すように底板６７が支軸６８により回転自在に支持され、底板６７の端部６７ａがバネ等により上方に付勢されている。記録用紙の用紙束が給紙カセット５の内側の底板６７に載せられて、底板６７の端部６７ａが上方に付勢されて移動されると、用紙束の最上層の記録用紙の端部が給紙ローラ３１に圧接される。この状態で、給紙ローラ３１が矢印方向に回転されると、給紙ローラ３１により記録用紙が引出される。
【００５２】
一方、用紙搬送ガイド６５の支軸６６は、本体６の底部近傍で回転自在に支持されている。また、用紙搬送ガイド６５には、ホルダー７１を回転自在に支持する支軸７２が設けられており、バネ等の付勢部（図示せず）によりホルダー７１が支軸７２を中心にして回転方向Ａに付勢されている。更に、ホルダー７１には、分離ローラ３５を回転自在に支持する支軸７３が設けられており、回転方向Ａへのホルダー７１の付勢に伴って分離ローラ３５が給紙ローラ３１に接近する方向に付勢される。また、分離ローラ３５と支軸７３との間にはトルクリミッター（図示せず）が設けられており、分離ローラ３５に対して一定値以上のトルクが作用したときに、分離ローラ３５が回転するようになっている。更に、ホルダー７１の支軸７２は、分離ローラ３５よりも用紙搬送方向Ｂの下流側に配置されている。
【００５３】
ここで、用紙搬送ガイド６５が支軸６６周りで反時計回り方向に回転されると、分離ローラ３５及びホルダー７１も支軸６６周りで反時計回り方向に回転移動される。そして、図５に示すように用紙搬送ガイド６５がストッパー（図示せず）に当接して案内位置に位置決めされると、用紙搬送ガイド６５と内側ガイド７４とが離間して対峙し、用紙搬送ガイド６５と内側ガイド７４との間に用紙搬送経路Ｒ１が形成される。
【００５４】
また、用紙搬送ガイド６５が案内位置に位置決めされたときには、分離ローラ３５が給紙ローラ３１に接触して、ホルダー７１がバネ等の付勢部（図示せず）の付勢力に抗して回転方向Ａとは逆方向に僅かに回転した位置で停止し、その付勢部の付勢力により分離ローラ３５が給紙ローラ３１に圧接され、給紙ローラ３１と分離ローラ３５との間にニップ域が形成される。
【００５５】
この状態で、給紙カセット５の底板６７に載せられた用紙束の最上層の記録用紙が給紙ローラ３１に圧接されて、給紙ローラ３１が矢印方向に回転されると、給紙ローラ３１により記録用紙が引出され、記録用紙が給紙ローラ３１と分離ローラ３５との間を通過して用紙搬送路Ｒ１へと導かれ搬送される。このとき、ホルダー７１の支軸７２が給紙ローラ３１と分離ローラ３５との間のニップ域よりも用紙搬送方向Ｂの下流側に配置されていることから、ニップ域を通過する記録用紙に接する分離ローラ３５が該記録用紙から用紙搬送方向Ｂの力を受けて、ホルダー７１の支軸７２周りに時計回り方向のモーメントが発生し、このモーメントが分離ローラ３５に作用して、給紙ローラ３１に対する分離ローラ３５の圧接圧力が増大する。そして、給紙ローラ３１により引出された記録用紙が１枚であれば、給紙ローラ３１と分離ローラ３５と１枚の記録用紙とが互いに圧接し合ってスリップせず、分離ローラ３５のトルクリミッターに一定値以上のトルクが作用して、分離ローラ３５が従動回転し、１枚の記録用紙が給紙ローラ３１と分離ローラ３５との間のニップ域を速やかに通過する。また、給紙ローラ３１により引出された記録用紙が複数枚であれば、給紙ローラ３１に直接接触する１枚の記録用紙だけが確実に引出され、その１枚の記録用紙に重なる他の記録用紙が分離ローラ３５に接して止められ、その１枚の記録用紙が他の記録用紙上で滑って引出されて行くため、分離ローラ３５のトルクリミッターに一定値以上のトルクが作用せず、分離ローラ３５が停止した状態が維持され、分離ローラ３５により他の記録用紙が継続して止められる。これにより、１枚の記録用紙だけが給紙ローラ３１と分離ローラ３５との間のニップ域を通過し、用紙ジャムが防止される。
【００５６】
次に、図６に示すように分離ローラ３５が給紙ローラ３１から離間した状態を説明する。この状態は、図４（ａ）〜（ｃ）に示すように開閉カバー６１、補助ガイド６３、及び用紙搬送ガイド６５が順次開かれて、画像形成装置１の本体６の下部奥が開放されることにより設定される。
【００５７】
図６に示すように用紙搬送ガイド６５が支軸６６周りで時計回り方向に回転されると、分離ローラ３５及びホルダー７１も支軸６６周りで時計回り方向に回転される。そして、用紙搬送ガイド６５がストッパー（図示せず）に当接して退避位置に位置決めされると、用紙搬送ガイド６５が用紙搬送経路Ｒ１から離間して、用紙搬送経路Ｒ１が開放される。
【００５８】
また、用紙搬送ガイド６５が退避位置に位置決めされたときには、分離ローラ３５が給紙ローラ３１から離間して、ホルダー７１がバネ等の付勢部（図示せず）の付勢力により回転方向Ａに回転してストッパー（図示せず）に当接した位置で停止する。
【００５９】
また、給紙ローラ３１と分離ローラ３５との間のニップ域に対して、用紙搬送ガイド６５の支軸６６が給紙カセット５とは反対側（用紙搬送方向Ｂの下流側）に配置されていることから、用紙搬送ガイド６５が支軸６６周りで時計回り方向に回転されると、分離ローラ３５が給紙ローラ３１から離間すると同時に用紙搬送方向Ｂの下流側の向きにも移動される。
【００６０】
図７（ａ）は、図５に示すように用紙搬送ガイド６５が案内位置に位置決めされて、分離ローラ３５が給紙ローラ３１に圧接した状態を画像形成装置１の斜め上後方から見て示す図であり、また図７（ｂ）は、図６に示すように用紙搬送ガイド６５が退避位置に位置決めされて、分離ローラ３５が給紙ローラ３１から離間した状態を画像形成装置１の斜め上後方から見て示す図である。
【００６１】
図７（ａ）と図７（ｂ）を比較すると明らかなように、画像形成装置１の背面側から見ても、用紙搬送ガイド６５が退避位置に移動されると、分離ローラ３５が給紙ローラ３１から離間していることが分かる。
【００６２】
このため、図４（ｃ）、図６、及び図７（ｂ）に示すように分離ローラ３５が給紙ローラ３１から離間した状態では、利用者は、斜め上方から分離ローラ３５と給紙ローラ３１との間を容易に視認することができ、分離ローラ３５と給紙ローラ３１との間から記録用紙を容易に引き抜くことができる。
【００６３】
このように本実施形態の画像形成装置１では、開閉カバー６１、補助ガイド６３、及び用紙搬送ガイド６５が３重に配されて３段階で順次開かれ、用紙搬送ガイド６５が開かれて退避位置に移動されると、分離ローラ３５が給紙ローラ３１から離間すると同時に用紙搬送方向Ｂの下流側の向きにも移動される。このため、斜め上方から分離ローラ３５と給紙ローラ３１との間を容易に視認することができ、分離ローラ３５と給紙ローラ３１との間から記録用紙を容易に引き抜くことができる。
【００６４】
尚、上記実施形態では、分離ローラ３５を例示しているが、この代わりに、分離パッドを用紙搬送ガイド６５に設け、用紙搬送ガイド６５が案内位置に移動されたときに、分離パッドが用紙搬送ガイド６５に圧接し、用紙搬送ガイド６５が退避位置に移動されたときに、分離パッドが用紙搬送ガイド６５から離間するようにしてもよい。この分離パッドも、分離ローラ３５と同様に、給紙ローラ３１により複数枚の記録用紙が引出されたときに給紙ローラ３１に直接接触する１枚の記録用紙に重なる他の記録用紙を引き止めて、用紙ジャムを防止することができる。
【００６５】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと解される。
【符号の説明】
【００６６】
１  画像形成装置
２  画像読取り装置
３  原稿搬送装置
４  印刷部
５  給紙カセット
３１  給紙ローラ
３２  排紙ローラ
３４  レジストローラ
３５  分離ローラ（分離部材）
６１  開閉カバー
６２、６４、７３  支軸
６６  支軸（第１支軸）
７２  支軸（第２支軸）
６３  補助ガイド
６５  用紙搬送ガイド
７１  ホルダー
７４  内側ガイド
Ｒ１  用紙搬送経路
Ｒ２  補助経路
Ｒｒ  反転経路
【図１】
2014058381.tif 000003
【図２】
2014058381.tif 000004
【図３】
2014058381.tif 000005
【図４】
2014058381.tif 000006
【図５】
2014058381.tif 000007
【図６】
2014058381.tif 000008
【図７】
2014058381.tif 000009